【事件の表示】
　平成２年特許願第１１６０６９号「ピアノハンドル式スイッチ装置」拒絶査定に対する審判事件（平成４年１月２０日出願公開、特開平４−１４７２１）について、次のとおり審決する。
【結論】
　本件審判の請求は、成り立たない。
【理由】
１．本願は、平成２年５月２日の出願であって、その発明は、平成１１年１月１１日付け手続補正書により補正された明細書及び図面の記載からみて、特許請求の範囲の請求項１乃至請求項３に記載されたとおりのものと認められ、その請求項１に記載された発明は以下のとおりである。
「請求項１
　両端部に速結端子を収納した収納部を、中央部にスイッチ機構を収納した収納部を備え、スイッチ機構を作動させる押釦ハンドルを上面に設けて形成される押釦スイッチと、押釦スイッチの押釦ハンドルの上側に配設されると共に、一方の側端縁の枢支部の基端部の側面に押釦スイッチの上面に突設した支持リブの上端が当接され、枢支部を支点にして押圧させることによって押釦ハンドルを押圧作動させるピアノハンドルと、押釦スイッチを一列に３個並べて取り付けることができる大きさの窓孔を設けた取付枠と、窓孔より大きな開口を設けて形成され取付枠の外側に取り付けられる化粧枠とを具備し、取付枠に１個の押釦スイッチを取り付けると共に、化粧枠の開口とほぼ同じ大きさに形成したピアノハンドルを押釦スイッチに取り付けて成ることを特徴とするピアノハンドル式スイッチ装置。」（以下、「本願発明」という。）
２．これに対して、原査定の拒絶理由に引用された実願昭６２−１６１６８号（実開昭６３−１２５３３１号）のマイクロフィルム（以下「引用例１」という。）には、「押釦の取付構造」に関して以下のことが記載されている。
▲１▼「上記のようにしてパネル２に取り付けられたプリセットボタン１０の釦本体１１は、第４、５図に示すように、凹部６の弾性脚部５の弾性力により該釦本体１１の弾性挿入部１２を常時図中上方に付勢しているので、釦本体１１の係止部１３が開口部４の係合部７で係合された状態、即ち、第４、５図中一点鎖線で示す状態に上方に浮き上がった状態になってガタ付くことはない。この状態から、釦本体１１の前面１１ａを押圧操作すると、該釦本体１１の弾性挿入部１２は、前記凹部６の一対の軸受部６ｂ、６ｂを支点として下方に滑らかに回転し、その操作部１４でタクトスイッチ２０をＯＮ、ＯＦＦ動作させる。この際に釦本体１１の弾性挿入部１２及び凹部６の弾性脚部５が相互に弾性変形するので、ガタ付くことはなく、釦本体１１の押圧操作時の操作感は非常に良い。また、この押圧操作を解除すると、弾性脚部５及び弾性挿入部１２の弾性力によりスムーズにガタ付くことなく元の状態に復帰する。
　このように、前記釦本体１１の弾性挿入部１２及び凹部６の弾性脚部５自体にそれぞれ弾性力（バネ機能）を持たせたことにより、簡単な構造でしかも従来のようにバネ等の別部材を用いずに釦本体１１をパネル２にガタ付かせることなく取り付けることができ、取付後も釦本体１１の弾性挿入部１２と凹部６の弾性脚部５の弾性力によりガタ付きを吸収することができる。」（明細書第９頁第１８行〜第１１頁第４行））
　また、同じく引用された特開昭６１−１７３４２８号公報（以下「引用例２」という。）には、「スイッチ装置」に関して以下のことが記載されている。
▲１▼「この発明は、プレート面とスイッチとの外観上の関係が調和しているとともに、接点の開閉動作が確実に行われるスイッチ装置を提供することを目的とする。」（第２頁右上欄第８〜ｌ１行）
▲２▼「この発明にかかるスイッチ装置は、第１図および第２図にみるように、接点機構を内蔵するボディ１と、ボディ１外方から前記接点機構を操作する部分である広面積のハンドル２と、ハンドル２の表面を露出させる開口３ａを有するプレート３と、これを受けるプレート枠４と、前記プレート３およびプレート枠４の両者間に介在され、内部に形成された開口部５ａに前記ボディ１を受け入れた状態で壁面（図示せず）に取り付けられるようになっている取付枠５とをそれぞれ備えている。第２図および第３図にみるように、ボディ１表面には、ボディ１から出没する方向に往復移動し、ボディ１内の可動接触部１５に固定接点１４，１６の開閉動作を行わせるよう働く移動体（押ボタン）８が露出している。前記ハンドル２は、第２図および第５図にみるように、その一端側で前記移動体８を覆うとともに、他端側をボディ１に軸着させて、ピアノタッチ式になっている。その操作時には、前記一端側が押し込まれると、移動体８が押圧される。移動体８は、前記押圧を解除した際にハンドル２とプレート３の表面とがほぼ面一になるようスプリング６により押圧解除方向に常に付勢されている。それにより、プレート面とハンドル（スイッチ）との外観上の関係が調和するようになる。」（第２頁左下欄第１５行〜同頁右下欄第１９行）
▲３▼「すなわち、第２図および第５図にみるように、ハンドル２の一端側裏面に互いに相対するよう突出片２ａ，２ａが設けられており、その外側面にそれぞれ短軸１０，１０が設けられている。これら短軸１０，１０は、第１図にもみるように、ボディ１に取り付けられた立上り片１１，１１に形成されている各孔１１ａ，１１ａに枢着されている。したがって、ハンドル２は、前記孔１１ａ，ｌｌａを支点として回動するのである。移動体８を付勢するスプリング６は、例えば、第２図および第３図にみるように、移動体８の内部に形成されている凹部８ａと、移動体８の下方に位置決め固定されている受け板６ａとの間に設けられる。この受け板６ａには、移動体８に突設されている作動子２０を受け入れる孔６ｂが形成されている。」（第３頁左上欄第６行〜同頁右上欄第１行）
▲４▼「ボディ１内には、揺動することにより接点１４および接点１６の開閉を行うようになっている可動接触部１５が設けられている。この可動接触部１５は、その側面に取り付けられている反転カム１９の両肩１９ａ，１９ａが移動体８の押圧時に移動体８から突設されている作動子２０に交互に押圧されることにより、正逆方向に揺動するようになっている。」（第３頁左下欄第７〜１４行）
▲５▼「この実施例においては、端子部が連結構造になっている。すなわち、第２図および第３図にみるように、端子板２３、２４、２６がそれぞれ鎖錠ばね２５を包むようにしてこれと接触しており、内側面においてボディ１設けられたリード線挿通孔２７から入って来たりード線（図示せず）を鎖錠ばね２５の端部で圧送させるようになっている。また、ボディ１内には、リード線の結線状態を解除させるための解除ボタン２８、２８が内蔵されている。この解除ボタン２８、２８は、それぞれの対応位置にあたるボディ１下面に形成されている孔２９からドライバ等を差し入れるようにして内側方向に押圧させられる。その際に、各鎖錠ばね２５の端部をその付勢とは逆方向に押圧することにより、結線状態を解除させるのである。第２図中、９は移動体の出没用にボディに設けられた孔、第２図および第３図中、３０は可動接触部１５の接点、すなわち可動接点、第３図中、３１は引張りばね２２の受入れ孔、３２は引張りばね２２の一端を係止させる係止片、３３は取付板２１と端子板２３との間に接続されたリード線である。なお、上記実施例においては、第２図にみるように作動子２０の先端と反転カム１９との間の距離が短くなっており、かつ、ハンドル２の移動体８との当接個所に突起３４が設けられている。そのために、ハンドル２の押圧距離が少なくてすんでいる。」（第３頁右下欄第９行〜第４頁左上欄第１５行）
▲６▼「ボディ表面には、ボディから出没する方向に往復移動し、ボディ内の可動接触部に接点の開閉動作を行わせるよう働く移動体が露出しており、ハンドルがその一端側で前記移動体を覆うとともに、他端側をボディに軸着させていて、操作時には前記一端側が押し込まれると移動体が押圧されるが、移動体は前記押圧を解除した際にハンドルとプレート面がほぼ面一になるように押圧解除方向に常に付勢されていることを特徴としているので、プレート面とハンドル（スイッチ）との外観上の関係が調和するようになるとともに、接点の開閉動作が確実に行われるようになるという効果がもたらされるのである。」（第４頁右上欄第１８行〜同頁左下欄第１１行）
３．本願発明と引用例１に記載された発明とを対比する。
　引用例１に記載の、「タクトスイッチ２０」、「弾性挿入部１２」、「突出部８」、「プリセットボタン１０」は、それぞれ、本願発明における「押釦スイッチ」、「一方の側端縁の枢支部の基端部」、「支持リブ」、「ピアノハンドル」にそれぞれ相当する。
　そうすると、両者は、「押釦スイッチの押釦ハンドルの上側に配設されると共に、一方の側端縁の枢支部の基端部の側面に支持リブの上端が当接され、枢支部を支点にして押圧させることによって押釦ハンドルを押圧作動させるピアノハンドル（から）成るピアノハンドル式スイッチ装置。」である点で一致するものであり、一方、以下の点で相違するものと認める。
（相違点）
▲１▼本願発明の押釦スイッチは、「両端部に速結端子を収納した収納部を、中央部にスイッチ機構を収納した収納部を備え、スイッチ機構を作動させる押釦ハンドルを上面に設けて形成される」のに対し、引用例１に記載のタクトスイッチは、該構成を具備していない点。
▲２▼本願発明の支持リブは、「押釦スイッチの上面に突設」されているのに対して、引用例１に記載の突出部８は、パネル２の上面に突設されている点。
▲３▼本願発明が、「押釦スイッチを一列に３個並べて取り付けることができる大きさの窓孔を設けた取付枠と、窓孔より大きな開口を設けて形成され取付枠の外側に取り付けられる化粧枠とを具備し、取付枠に１個の押釦スイッチを取り付けると共に、化粧枠の開口とほぼ同じ大きさに形成したハンドルを押釦スイッチに取り付けて成る」のに対して、引用例１に記載の発明は該構成を具備していない点。
４．そこで上記各相違点について検討する。
　（相違点▲１▼について）
　両端部に速結端子を収納した収納部を、中央部にスイッチ機構を収納した収納部を備え、スイッチ機構を作動させる押釦ハンドルを上面に設けて形成される押釦スイッチは、引用例２に記載されている。
　両者は、共にピアノハンドルスイッチに関するものでり、引用例２に記載の押釦スイッチを引用例１に記載のタクトスイッチに適用することに技術的困難性は認められない。
　（相違点▲２▼について）
　突出部をどこに設けるかは、当業者が必要に応じて適宜選定し得る事項である。したがって、引用例１に記載の発明において、突出部８をタクトスイッチ２０の上面に突設させることは、当業者の設計的事項にすぎない。
　（相違点▲３▼について）
　部品の共通化および操作性の向上のために、押釦スイッチを一列に３個並べて取り付けることができる大きさの窓孔を設けた取付枠と、窓孔より大きな開口を設けて形成され取付枠の外側に取り付けられる化粧枠とを具備し、取付枠に１個の押釦スイッチを取り付けると共に、化粧枠の開口とほぼ同じ大きさに形成したハンドルを押釦スイッチに取り付けてなるスイッチ装置は、本件出願前周知の技術である（例えば、特開平１−１９７９２４号公報を参照のこと）。
　そして、引用例１に記載の発明に、上記周知の技術を適用して本願発明のようにすることは、当業者が適宜なし得るものである。
　また、本願発明の奏する効果も、引用例及び周知技術から当業者が予測しうる範囲のものである。
　したがって、本願発明は、引用例に記載の発明に基づいて当業者が容易に成し得たものというべきである。
５．以上のとおりであるから、本願発明は、特許法第２９条第２項の規定により特許を受けることはできない。
　よって、結論のとおり審決する、